(57)【要約】【課題】美しい文字を容易に表示でき、しかも円滑に供花用名札の並び順を変更したり誤記を修正することができる供花用名札の表示システム及び供花用名札の表示方法を提供する。【解決手段】電子ペーパーからなり、送り主の名称等に関する表示情報を表示する複数の供花用名札２０ａ，２０ｂ，２０ｃ，２０ｄ，２０ｅ，２０ｆと、固有番号（１，２，３，４，５，６）に対応させて、表示情報を入力する入力手段３１と、入力された表示情報を固有番号（１，２，３，４，５，６）ごとに記憶する記憶手段３３Ａと、記憶手段３３Ａに記憶された表示情報を、対応する複数の供花用名札２０ａ，２０ｂ，２０ｃ，２０ｄ，２０ｅ，２０ｆに出力して表示させる制御手段３４と、表示情報が再度入力されると、固有番号に対応した前回の表示情報を再度入力された表示情報に書き替える更新手段３４とを備える。【選択図】図２
2010244344.tif 000002
【特許請求の範囲】
【請求項１】
葬儀で使用される供花に配置された電子ペーパーからなり、前記供花の送り主の名称又は名前に関する表示情報を表示する複数の供花用名札と、
前記複数の供花用名札の固有番号に対応させて、前記表示情報を入力する入力手段と、
前記入力手段によって入力された前記表示情報を前記固有番号ごとに記憶する記憶手段と、
前記記憶手段に記憶された前記固有番号ごとの前記表示情報を、対応する前記複数の供花用名札に出力して表示させる制御手段とを備えることを特徴とする供花用名札の表示システム。
【請求項２】
前記複数の供花用名札が前記表示情報を表示しているときに、前記固有番号に対応した前記表示情報が前記入力手段を介して再度入力されると、前記固有番号に対応した前回の前記表示情報を再度入力された表示情報に書き替える更新手段をさらに備えることを特徴とする請求項１に記載の供花用名札の表示システム。
【請求項３】
前記複数の供花用名札が配置された場所の照度を測る光検出手段をさらに備え、
前記制御手段は、照度が前記電子ペーパーにおける表示が見え難くなる所定値以下になると、前記場所の照度を上げる信号を出力することを特徴とする請求項１又は２に記載の供花用名札の表示システム。
【請求項４】
葬儀で使用される供花に配置された電子ペーパーからなり、前記供花の送り主の名称又は名前に関する表示情報を表示する複数の供花用名札と、
前記複数の供花用名札と無線又は有線によって接続され、前記表示情報を入力する入力手段と前記入力された前記表示情報を画面上に出力する出力手段と前記入力された前記表示情報を記憶する記憶手段を有する端末装置とを備え、
前記端末装置の入力手段から、前記複数の供花用名札の固有番号に対応させた前記表示情報が入力されると、その内容を前記出力手段を介して画面上に出力するとともに、前記入力手段によって入力された前記表示情報を前記固有番号ごとに記憶手段に記憶させ、前記記憶手段に記憶された前記固有番号ごとの前記表示情報を、対応する前記複数の供花用名札に出力して表示させることを特徴とする供花用名札の表示方法。
【請求項５】
前記複数の供花用名札が前記表示情報を表示しているときに、前記固有番号に対応した前記表示情報が前記入力手段を介して再度入力されると、前記固有番号に対応した前回の前記表示情報を再度入力された表示情報に書き替えることを特徴とする請求項４に記載の供花用名札の表示方法。
【発明の詳細な説明】
【技術分野】
【０００１】
本発明は、葬儀で使用される供花に配置される供花用名札の表示システム及び供花用名札の表示方法に関するものである。
【背景技術】
【０００２】
葬儀で使用される供花には、図６に示すように、供花の送り主の名称又は名前を表示した供花用名札１０が配置される（例えば、特許文献１参照）。
【先行技術文献】
【特許文献】
【０００３】
【特許文献１】実用新案登録第３０７８８０４号公報
【０００４】
特許文献１に記載の発明は、本体１１の表面に供花の送り主の名称等を書いた紙１２をテープやクリップ等で固定するものである。なお、暗闇でも送り主の名称等を認識できるように、本体１１と紙１２の間には発光する面発光体１３が介在する。
【０００５】
このような供花用名札の並び順は、特許文献１に記載の発明に係る供花用名札１０、又はその他の供花用名札に拘らず、故人と送り主との血縁関係や、送り主の社会的地位等によって決定されるのが一般的である。
したがって、遺族と葬儀業者との、あるいは遺族同士での意思疎通が十分ではなく、供花用名札が並ぶべき順番で並んでいない場合には、遺族の指示によって供花用名札を並び替えることは少なくない。
【発明の概要】
【発明が解決しようとする課題】
【０００６】
しかしながら、特許文献１に記載の発明に係る供花用名札１０を使用する場合、供花用名札１０の並び替えを行うときや誤記を修正するときには、供花の後ろに差されている供花用名札１０を引き抜いて並び替えるか、名称等が書かれた紙１２を本体１１から剥がして別の本体１１に貼り直さなければならない。
弔問客が斎場に入場する前にはこのように供花用名札１０を並び替えたり修正しても問題ないが、弔問客が入場した後に慌てて並び替えると見苦しく、葬儀の厳かな雰囲気を壊してしまう。
また、この名称等は美しい文字で記入しなければならないので、葬儀業者は供花用名札１０に名称等を記入する担当の従業員を確保しておかなくてはならない。
【０００７】
そこで、本発明の目的とするところは、美しい文字を容易に表示でき、しかも円滑に供花用名札の並び順を変更したり誤記を修正することができる供花用名札の表示システム及び供花用名札の表示方法を提供することにある。
【課題を解決するための手段】
【０００８】
上記の目的を達成するために、本発明の請求項１に記載の供花用名札（２０ａ，２０ｂ，２０ｃ，２０ｄ，２０ｅ，２０ｆ）の表示システムは、葬儀で使用される供花（Ｆ）に配置された電子ペーパーからなり、前記供花（Ｆ）の送り主の名称又は名前に関する表示情報を表示する複数の供花用名札（２０ａ，２０ｂ，２０ｃ，２０ｄ，２０ｅ，２０ｆ）と、前記複数の供花用名札（２０ａ，２０ｂ，２０ｃ，２０ｄ，２０ｅ，２０ｆ）の固有番号（１，２，３，４，５，６）に対応させて、前記表示情報を入力する入力手段（３１）と、前記入力手段（３１）によって入力された前記表示情報を前記固有番号（１，２，３，４，５，６）ごとに記憶する記憶手段（３３Ａ）と、前記記憶手段（３３Ａ）に記憶された前記固有番号（１，２，３，４，５，６）ごとの前記表示情報を、対応する前記複数の供花用名札（２０ａ，２０ｂ，２０ｃ，２０ｄ，２０ｅ，２０ｆ）に出力して表示させる制御手段（３４）とを備えることを特徴とする。
【０００９】
ここで、電子ペーパーとは、近年開発された、紙のように手軽で電子ディスプレイのように表示内容を書き換えることが可能な表示媒体をいう。
【００１０】
また、請求項２に記載の供花用名札（２０ａ，２０ｂ，２０ｃ，２０ｄ，２０ｅ，２０ｆ）の表示システムは、前記複数の供花用名札（２０ａ，２０ｂ，２０ｃ，２０ｄ，２０ｅ，２０ｆ）が前記表示情報を表示しているときに、前記固有番号に対応した前記表示情報が前記入力手段（３１）を介して再度入力されると、前記固有番号に対応した前回の前記表示情報を再度入力された表示情報に書き替える更新手段（３４）をさらに備えることを特徴とする。
【００１１】
また、請求項３に記載の供花用名札（２０ａ，２０ｂ，２０ｃ，２０ｄ，２０ｅ，２０ｆ）の表示システムは、前記複数の供花用名札（２０ａ，２０ｂ，２０ｃ，２０ｄ，２０ｅ，２０ｆ）が配置された場所の照度を測る光検出手段（４０）をさらに備え、前記制御手段（３４）は、照度が前記電子ペーパーにおける表示が見え難くなる所定値以下になると、前記場所の照度を上げる信号を出力することを特徴とする。
【００１２】
また、請求項４に記載の供花用名札（２０ａ，２０ｂ，２０ｃ，２０ｄ，２０ｅ，２０ｆ）の表示方法は、葬儀で使用される供花（Ｆ）に配置された電子ペーパーからなり、前記供花（Ｆ）の送り主の名称又は名前に関する表示情報を表示する複数の供花用名札（２０ａ，２０ｂ，２０ｃ，２０ｄ，２０ｅ，２０ｆ）と、前記複数の供花用名札（２０ａ，２０ｂ，２０ｃ，２０ｄ，２０ｅ，２０ｆ）と無線又は有線によって接続され、前記表示情報を入力する入力手段（３１）と前記入力された前記表示情報を画面上に出力する出力手段（３２）と前記入力された前記表示情報を記憶する記憶手段（３３Ａ）を有する端末装置（３０）とを備え、前記端末装置（３０）の入力手段（３１）から、前記複数の供花用名札（２０ａ，２０ｂ，２０ｃ，２０ｄ，２０ｅ，２０ｆ）の固有番号（１，２，３，４，５，６）に対応させた前記表示情報が入力されると、その内容を前記出力手段（３２）を介して画面上に出力するとともに、前記入力手段（３１）によって入力された前記表示情報を前記固有番号（１，２，３，４，５，６）ごとに記憶手段（３３Ａ）に記憶させ、前記記憶手段（３３Ａ）に記憶された前記固有番号（１，２，３，４，５，６）ごとの前記表示情報を、対応する前記複数の供花用名札（２０ａ，２０ｂ，２０ｃ，２０ｄ，２０ｅ，２０ｆ）に出力して表示させることを特徴とする。
【００１３】
また、請求項５に記載の供花用名札（２０ａ，２０ｂ，２０ｃ，２０ｄ，２０ｅ，２０ｆ）の表示方法は、前記複数の供花用名札（２０ａ，２０ｂ，２０ｃ，２０ｄ，２０ｅ，２０ｆ）が前記表示情報を表示しているときに、前記固有番号に対応した前記表示情報が前記入力手段（３１）を介して再度入力されると、前記固有番号に対応した前回の前記表示情報を再度入力された表示情報に書き替えることを特徴とする。
【００１４】
ここで、上記括弧内の記号は、図面および後述する発明を実施するための形態に掲載された対応要素または対応事項を示す。
【発明の効果】
【００１５】
本発明の請求項１及び４に記載の供花用名札の表示システム及び供花用名札の表示方法によれば、供花用名札は電子ペーパーからなり、複数の供花用名札の固有番号に対応させた表示情報が入力されると、表示情報を固有番号ごとに記憶手段に記憶させ、記憶手段に記憶された固有番号ごとの表示情報を、対応する複数の供花用名札に出力して表示させるので、従来の供花用名札のように筆で供花の送り主の名称等を書く必要がなく、葬儀業者は供花用名札に名称等を記入する担当の従業員を確保しておかずに済む。よって、人件費の節減に役立つ。
また、葬儀は前もって予定を立てることができず、準備が慌ただしいものであるが、本発明によれば、表示情報を電子ペーパーに表示するだけでよいので、筆で書くよりも短時間で供花用名札を準備でき、便利である。
【００１６】
また、請求項２及び５に記載の供花用名札の表示システム及び供花用名札の表示方法によれば、請求項１及び４に記載の発明の作用効果に加え、複数の供花用名札が表示情報を表示しているときに、固有番号に対応した表示情報が再度入力されると、固有番号に対応した前回の表示情報を再度入力された表示情報に書き替えるので、弔問客が斎場に入場した後に供花用名札の並べ替えや誤記の修正が必要となった場合に、弔問客の前で作業をすることなく供花用名札の表示を円滑に書き替えることができる。よって、葬儀の厳かな雰囲気を壊さずに、供花用名札の表示を並べ替えたり修正することが可能である。
【００１７】
また、請求項３に記載の供花用名札の表示システムによれば、請求項１又は２に記載の発明の作用効果に加え、制御手段が、測定した照度が電子ペーパーにおける表示が見え難くなる所定値以下になると、供花用名札が配置された場所の照度を上げる信号を出力するので、その信号により照度を制御する装置を設ければ、自動で供花用名札が配置された場所の照度を上げることができる。よって、弔問客が確実に供花用名札に表示された供花の送り主の名称等を認識することができる。
【００１８】
なお、本発明の供花用名札の表示システム及び供花用名札の表示方法のように、電気的処理によって電子ペーパーを使用した供花用名札に名称や名前等の表示情報を表示させたり、それに加えて、電気的処理によって供花用名札の表示を円滑に並び替えることができる点は、上述した特許文献１には全く記載されていない。
【図面の簡単な説明】
【００１９】
【図１】本発明の実施形態に係る供花用名札の表示システムを示す概要図である。
【図２】本発明の実施形態に係る端末装置の電気構成を示すブロック図である。
【図３】本発明の実施形態に係る表示情報を表示する制御処理を示すフローチャートである。
【図４】本発明の実施形態に係る表示情報の更新処理を示すフローチャートである。
【図５】本発明の実施形態の処理に係るセンサー処理を示すフローチャートである。
【図６】従来例に係る供花用名札を示す分解斜視図である。
【発明を実施するための形態】
【００２０】
図１及び図２を参照して、本発明の実施形態に係る供花用名札２０ａ，２０ｂ，２０ｃ，２０ｄ，２０ｅ，２０ｆの表示システムを説明する。これは、電子ペーパーを使用した供花用名札２０ａ，２０ｂ，２０ｃ，２０ｄ，２０ｅ，２０ｆに端末装置３０を介して入力された表示情報を表示させるシステムに関する。
【００２１】
供花用名札２０ａ，２０ｂ，２０ｃ，２０ｄ，２０ｅ，２０ｆは、葬儀で使用される供花Ｆに複数（ここでは６つ）配置され、供花Ｆの送り主の名称（法人名）や名前（個人名）等に関する表示情報を表示するものである。
この供花用名札２０ａ，２０ｂ，２０ｃ，２０ｄ，２０ｅ，２０ｆは、従来の筆を使用して書かれる供花用名札１０とは異なり、電気的信号を受信してその信号の内容を表示可能な電子ペーパーからなる。
電子ペーパーは、通常の液晶ディスプレイとは別の原理で表示し、電子ペーパー自体が内部から発光するものではない。つまり、通常の紙と同じように太陽光や蛍光灯等の光に照らされて初めて、電子ペーパーを見る人はそれに表示されている文字を認識できる。
それぞれの供花用名札２０ａ，２０ｂ，２０ｃ，２０ｄ，２０ｅ，２０ｆには、端末装置３０で管理するために、例えば左の供花用名札から順に（１），（２），（３），（４），（５），（６）と固有番号が割り振られている。
【００２２】
光検出センサー４０は、複数の供花用名札２０ａ，２０ｂ，２０ｃ，２０ｄ，２０ｅ，２０ｆが配置された場所の照度を測る光検出手段しての機能を担う。
【００２３】
ライト５０は、供花用名札２０ａ，２０ｂ，２０ｃ，２０ｄ，２０ｅ，２０ｆが配置された場所を照らすための照明である。例えば、祭壇の上方から祭壇全体を照らすものでもよいし、供花用名札２０ａ，２０ｂ，２０ｃ，２０ｄ，２０ｅ，２０ｆを下方から個別に照らすものであってもよい。
【００２４】
端末装置３０は、複数の供花用名札２０ａ，２０ｂ，２０ｃ，２０ｄ，２０ｅ，２０ｆとコードによって接続される。端末装置３０は、主に入力用のキーボード（マウス等を使用してもよい）３１と、出力用のディスプレイ３２と、ＲＡＭ３３ＡとＲＯＭ３３Ｂからなる記憶部３３と、管理者からの指示を受け、本実施形態に係るシステム全体を制御する制御部３４を有する。基本的に端末装置３０は、供花用名札２０ａ，２０ｂ，２０ｃ，２０ｄ，２０ｅ，２０ｆが配置される部屋とは別室に置かれるが、同室であって弔問客からは見えない位置に置かれることもある。
【００２５】
キーボード３１は、供花用名札２０ａ，２０ｂ，２０ｃ，２０ｄ，２０ｅ，２０ｆで表示される供花Ｆの送り主の名称等の表示情報を管理者が入力するための手段として使用される。キーボード３１から、複数の供花用名札２０ａ，２０ｂ，２０ｃ，２０ｄ，２０ｅ，２０ｆの固有番号（１，２，３，４，５，６）とそれら固有番号に対応させられる表示情報が入力される。
【００２６】
ディスプレイ３２は、出力手段を担い、キーボード３１によって入力された表示情報を供花用名札２０ａ，２０ｂ，２０ｃ，２０ｄ，２０ｅ，２０ｆに表示する前に、管理者が操作する端末装置３０の画面上に出力する。
【００２７】
記憶部３３は、ＲＡＭ３３ＡとＲＯＭ３３Ｂとからなり、ＲＡＭ３３Ａはキーボード３１によって入力された供花用名札２０ａ，２０ｂ，２０ｃ，２０ｄ，２０ｅ，２０ｆの固有番号（１，２，３，４，５，６）と表示情報を対応づけて記憶する手段を担う。また、ＲＯＭ３３Ｂはシステム全体を制御する制御プログラムを記憶する。
【００２８】
制御部３４は、システム全体を制御するＣＰＵからなる。制御手段３４では、管理者からキーボード３１を介して供花用名札２０ａ，２０ｂ，２０ｃ，２０ｄ，２０ｅ，２０ｆへの表示情報の表示指示があると、ＲＡＭ３３Ａに記憶した固有番号（１，２，３，４，５，６）ごとの表示情報を、対応する複数の供花用名札２０ａ，２０ｂ，２０ｃ，２０ｄ，２０ｅ，２０ｆに出力して表示させる機能や、複数の供花用名札２０ａ，２０ｂ，２０ｃ，２０ｄ，２０ｅ，２０ｆが表示情報を既に表示しているときに、固有番号に対応した表示情報がキーボード３１を介して再度入力されると、入力された固有番号に対応した前回の表示情報を、再度入力された表示情報に書き替える機能等を有する。
【００２９】
次に、図３乃至図５に示すフローチャートを参照して本実施形態に係る供花用名札２０ａ，２０ｂ，２０ｃ，２０ｄ，２０ｅ，２０ｆの表示方法について説明する。
まず、図３に示すように、管理者の端末装置３０及び供花用名札２０ａ，２０ｂ，２０ｃ，２０ｄ，２０ｅ，２０ｆの電源を入れられると、両者において所定の初期化が行われる（ステップＳ（以下、「Ｓ」という語を省略する）１）。
【００３０】
次に、キーボード３１から表示情報の入力指示を待つ（ステップ２）。
ここで、キーボード３１から複数の供花用名札２０ａ，２０ｂ，２０ｃ，２０ｄ，２０ｅ，２０ｆの固有番号（１，２，３，４，５，６）とそれに関する表示情報が入力されると、その内容を固有番号（１，２，３，４，５，６）ごとに読み取る（ステップ３）。
次に、読み取った表示情報を固有番号（１，２，３，４，５，６）ごとに対応づけして、ＲＡＭ３３Ａに記憶させる（ステップ４）。これと同時にその内容をディスプレイ３２にも出力して、管理者が入力内容を確認できるようにする。
【００３１】
次に、ＲＡＭ３３Ａに記憶された固有番号（１，２，３，４，５，６）ごとの表示情報を、固有番号（１，２，３，４，５，６）に対応する複数の供花用名札２０ａ，２０ｂ，２０ｃ，２０ｄ，２０ｅ，２０ｆに出力して、表示情報を供花用名札２０ａ，２０ｂ，２０ｃ，２０ｄ，２０ｅ，２０ｆに表示させる（ステップ５）。
【００３２】
次に、図４に示すように、供花用名札２０ａ，２０ｂ，２０ｃ，２０ｄ，２０ｅ，２０ｆの書き替えの指示を待つ（ステップ６）。
【００３３】
そして、複数の供花用名札２０ａ，２０ｂ，２０ｃ，２０ｄ，２０ｅ，２０ｆが表示情報を表示しているときに、固有番号とそれに対応した表示情報がキーボード３１を介して再度入力されると、それら固有番号と表示情報を読み取る（ステップ７）。
【００３４】
次に、再度入力された固有番号に対応した前回の表示情報を、ＲＡＭ３３Ａから読み出し、その表示情報を再度入力された表示情報に書き替える（ステップ８）。
次に、書き替えられた固有番号ごとの表示情報をＲＡＭ３３Ａから読み出して対応する複数の供花用名札２０ａ，２０ｂ，２０ｃ，２０ｄ，２０ｅ，２０ｆに出力し、供花用名札２０ａ，２０ｂ，２０ｃ，２０ｄ，２０ｅ，２０ｆの表示を書き替える（ステップ９）。
【００３５】
ここで、例えば固有番号（３）の供花用名札２０ｃに誤記が発見され、固有番号（３）と新しい表示情報が入力されると、ＲＡＭ３３Ａには、固有番号（３）に対応した前回の表示情報を新しい（再度入力された）表示情報に書き替えたものが記憶されるとともに、ディスプレイ３２には新しい表示情報が出力される。そして、固有番号（３）の供花用名札２０ｃに既に表示されている情報が、新しい情報に更新される。
更新される表示情報としては、供花用名札の固有番号に対応づけられて入力されれば一つに限らず、複数のもの、すべて（６つ）が入力されるものであってもよい。
【００３６】
そして、供花用名札２０ａ，２０ｂ，２０ｃ，２０ｄ，２０ｅ，２０ｆの表示を終了する指示を待つ（ステップ１０）。なお、ステップ６にて書き替えの指示がない場合には、ステップ６の次にステップ１０を行う。
【００３７】
ここで、ステップ１０にて終了の指示がない場合には、次にセンサー処理を行う（ステップ１１）。
センサー処理では、具体的には図５に示すように、光検出センサー４０により測定された、複数の供花用名札２０ａ，２０ｂ，２０ｃ，２０ｄ，２０ｅ，２０ｆが配置された場所の照度を読み取り、レジスタＲに入力する（ステップ１１０１）。
【００３８】
次にその測定値を、供花用名札２０ａ，２０ｂ，２０ｃ，２０ｄ，２０ｅ，２０ｆとして使用される電子ペーパーにおける表示が見え難くなる所定の値Ｒ０と比較し（ステップ１１０２）、測定値Ｒが所定の値Ｒ０以下であれば、制御部３４がライト５０に照度上昇を指示し（ステップ１１０３）、その指示によりライト５０（ここでは、制御部４０からの指示に基づき、照度を自動的に昇降することができるものを使用した）は照度を所定の値だけ上昇させる。
このようなステップ１１０１乃至ステップ１１０３を繰り返して、供花用名札２０ａ，２０ｂ，２０ｃ，２０ｄ，２０ｅ，２０ｆが配置された場所が所定の明るさとなったところでセンサー処理は完了する。
【００３９】
センサー処理が完了した後には、図４に示すステップ６に戻り、供花用名札２０ａ，２０ｂ，２０ｃ，２０ｄ，２０ｅ，２０ｆの書き替え指示（ステップ６）を待つ。
その後、ステップ１０にて表示終了の指示があれば、端末装置３０及び供花用名札２０ａ，２０ｂ，２０ｃ，２０ｄ，２０ｅ，２０ｆの電源を切る。
【００４０】
以上のように構成された供花用名札２０ａ，２０ｂ，２０ｃ，２０ｄ，２０ｅ，２０ｆの表示システムによれば、供花用名札２０ａ，２０ｂ，２０ｃ，２０ｄ，２０ｅ，２０ｆは電子ペーパーからなり、キーボード３１から、複数の供花用名札２０ａ，２０ｂ，２０ｃ，２０ｄ，２０ｅ，２０ｆの固有番号（１，２，３，４，５，６）に対応させた表示情報が入力されると、その内容をディスプレイ３２を介して画面上に出力するとともに、キーボード３１によって入力された表示情報を固有番号（１，２，３，４，５，６）ごとにＲＡＭ３３Ａに記憶させ、ＲＡＭ３３Ａに記憶された固有番号（１，２，３，４，５，６）ごとの表示情報を、対応する複数の供花用名札２０ａ，２０ｂ，２０ｃ，２０ｄ，２０ｅ，２０ｆに出力して表示させるので、従来の供花用名札１０のように筆で供花Ｆの送り主の名称等を書く必要がなく、葬儀業者は供花用名札に名称等を記入する担当の従業員を確保しておかずに済む。よって、人件費の節減に役立つ。また、筆で書くよりも短時間で供花用名札２０ａ，２０ｂ，２０ｃ，２０ｄ，２０ｅ，２０ｆを準備できるので便利である。
【００４１】
また、複数の供花用名札２０ａ，２０ｂ，２０ｃ，２０ｄ，２０ｅ，２０ｆが表示情報を表示しているときに、固有番号に対応した表示情報がキーボード３１を介して再度入力されると、固有番号に対応した前回の表示情報を再度入力された表示情報に電気的に書き替えるので、弔問客が斎場に入場した後に供花用名札２０ａ，２０ｂ，２０ｃ，２０ｄ，２０ｅ，２０ｆの並べ替えや修正が必要となった場合に、弔問客の前で供花用名札の差し替えなどの作業をすることなく供花用名札２０ａ，２０ｂ，２０ｃ，２０ｄ，２０ｅ，２０ｆの表示を円滑に書き替えることができる。よって、葬儀の厳かな雰囲気を壊さずに、供花用名札２０ａ，２０ｂ，２０ｃ，２０ｄ，２０ｅ，２０ｆの並べ替えや修正を行うことが可能である。
【００４２】
さらに、制御部３４は、光検出センサー４０で測定された照度Ｒが電子ペーパーにおける表示が見え難くなる所定値Ｒ０以下になると、供花用名札２０ａ，２０ｂ，２０ｃ，２０ｄ，２０ｅ，２０ｆが配置された場所の照度を上げる信号をライト５０に出力するので、ライト５０の機構により自動で供花用名札２０ａ，２０ｂ，２０ｃ，２０ｄ，２０ｅ，２０ｆが配置された場所の照度を上げることができる。よって、弔問客が確実に供花用名札２０ａ，２０ｂ，２０ｃ，２０ｄ，２０ｅ，２０ｆに表示された供花Ｆの送り主の名称等を認識することができる。
【００４３】
なお、本実施形態において、キーボード３１で入力された表示情報を、一旦ディスプレイ３２上に表示するとしたが、これに限られるものではなく、直接供花用名札２０ａ，２０ｂ，２０ｃ，２０ｄ，２０ｅ，２０ｆに出力してもよい。
また、制御部３４に装置全体の制御手段に加えて更新手段に関する機能を付加したが、制御部３４とは別に専用の更新手段を設けるようにしてもよい。
【００４４】
また、光検出センサー４０を設けないようにすることもできる。この場合、葬儀業者が自分の目で判断して、供花用名札２０ａ，２０ｂ，２０ｃ，２０ｄ，２０ｅ，２０ｆの表示をはっきり認識できるようにライト５０の照度を変更する必要がある。
【００４５】
また、端末装置３０と供花用名札２０ａ，２０ｂ，２０ｃ，２０ｄ，２０ｅ，２０ｆはコードよる有線で接続されるとしたが、これに限られるものではなく、無線で接続されていてもよい。
また、供花用名札２０ａ，２０ｂ，２０ｃ，２０ｄ，２０ｅ，２０ｆは本実施形態では６つとしたが、個数はこれに限られるものではない。
【符号の説明】
【００４６】
１０      供花用名札
１１      本体
１２      紙
１３      面発光体
２０      供花用名札
３０      端末装置
３１      キーボード（入力手段）
３２      ディスプレイ（出力手段）
３３Ａ    ＲＡＭ（記憶手段）
３３Ｂ    ＲＯＭ
３４      制御部（制御手段、更新手段）
４０      光検出センサー（光検出手段）
５０      ライト
Ｆ      供花
【図１】
2010244344.tif 000003
【図２】
2010244344.tif 000004
【図３】
2010244344.tif 000005
【図４】
2010244344.tif 000006
【図５】
2010244344.tif 000007
【図６】
2010244344.tif 000008